Podtech/llm-jp-corpus-v4-ja_patent huggingface dataset:
(57)【要約】      （修正有）【課題】鍵が付くことにより、購入者にも安心して、利用して頂き、転宅時も簡単に着脱でき追加の費用も要らない。【解決手段】水道菅１に取り付けアングル３と本体プレート４で磁気活水器２をはさんではずれないように、チョウナット７で固定する。取り付けアングル３を本体プレート４と穴の開いた押さえプレート８をナット９で固定して、ボルトの穴に鍵１０を取り付ける。磁気活水器２がずれないように本体プレート４は四隅を囲い溶接する。本製品の材質は金属を使用、鍵は市販品であるが、錆びにくい鍵を使用。【選択図】図４
0003104338.tif 000002
【実用新案登録請求の範囲】
【請求項１】
水道菅をはじめとするパイプを上、下、脱着可能な、取り付けアングル、本体プレートではさみナットで固定、本体プレートが磁気活水器とはずれないように、四隅を囲い、ボルト穴の開けた押さえプレートをナットで固定して、盗難防止の為の鍵を取り付ける機能。
【考案の詳細な説明】
【技術分野】
【０００１】  本考案は、磁気活水器盗難予防に関する。
【背景技術】
【０００２】  従来の取り付け器具はアングルとネジとプレートで取り付けているだけである。
【考案の開示】
【考案が解決しようとする課題】
【０００３】  従来は水道菅に簡単に取り付けられるが、鍵等が付けられる構造でないために、盗難の恐れがあるので、取り付け器具をペンチ等で曲げて使用している。また、転宅時は切断して再度取り付け器具を購入して取り付ける無駄が生じている。本磁気活水器は、高価なため、モニター時、転宅時に脱着が容易であることが必要であるために、盗難の心配が代理店の悩みの種が課題である。
【課題を解決するための手段】
【０００４】  水道菅をはじめとするパイプを上、下、脱着可能な、取り付けアングル、本体プレートではさみナットで固定、本体プレートがはずれないように、四隅を囲い、ボルト穴の開けた押さえプレートをナットで固定して、盗難防止の為の鍵を取り付ける機能。
【考案の効果】
【０００５】  鍵で簡単に誰でも脱着が可能。鍵が付くことにより、安心して、モニターをお願いできるのと、購入者にも安心して、利用して頂き、転宅時も簡単に脱着でき追加の費用も要らなくなる。
【考案を実施するための最良の形態】
【０００６】
【図４】
組み立て図のように水道菅１に取り付けアングル３と本体プレート４で磁気活水器２をはさんでがはずれないように、チョウナット７で固定する。取り付けアングル３を本体プレート４と穴の開いた押さえプレート８をナット９で固定して、ボルトの穴に鍵１０を取り付ける。磁気活水器２がずれないように本体プレート４は四隅を囲い溶接する。本製品の材質は金属を使用、鍵は市販品であるが、錆びにくい鍵を使用。
【図面の簡単な説明】
【０００７】
【図１】本考案の実施形態を示す磁気活水器の取り付け状態図
【図２】同磁気活水器を取り付けた状態の正面図
【図３】同磁気活水器を取り付けた状態の側面図
【図４】同磁気活水器の組み立て図
【符号の説明】
【０００８】１  水道管
２  磁気活水器
３  取り付けアングル
４  本体プレート
５  ワッシャー
６  スプリングワッシャー
７  チョウナット
８  押さえプレート
９  ナット
１０  鍵
【図１】
0003104338.tif 000003
【図２】
0003104338.tif 000004
【図３】
0003104338.tif 000005
【図４】
0003104338.tif 000006
【手続補正書】
【提出日】平成16年2月2日(2004.2.2)
【手続補正１】
【補正対象書類名】実用新案登録請求の範囲
【補正対象項目名】全文
【補正方法】変更
【補正の内容】
【実用新案登録請求の範囲】
【請求項１】
水道管をはじめとするパイプを上、下、脱着可能な、取り付けアングル、本体プレートではさみナットで固定、本体プレートが磁気活水器とはずれないように、四隅を囲い、ボルト穴の開けた押さえプレートをナットで固定して、盗難防止の為の鍵を取り付ける機能。
【手続補正書】
【提出日】平成16年4月12日(2004.4.12)
【手続補正１】
【補正対象書類名】実用新案登録請求の範囲
【補正対象項目名】全文
【補正方法】変更
【補正の内容】
【実用新案登録請求の範囲】
【請求項１】
水道管をはじめとするパイプを上、下、脱着可能な、取り付けアングル、本体プレートではさみナットで固定、本体プレートが磁気活水器とはずれないように、四隅を囲い、ボルト穴の開けた押さえプレートをナットで固定して、盗難防止の為の鍵を取り付けることを特徴とする盗難防止装置
(57)【要約】      （修正有）【課題】カーボンの発熱特性とシリコンの熱伝導性、柔軟性を利用し、より低価格で性能の良いものを開発することによって、タイヤ性能を効率良く発揮させ、一般ユーザーが安全に競技することができるようにした、自動車およびオートバイレース用タイヤウォーマーにおける柔軟面状発熱体を提供する。【解決手段】耐熱ナイロン布１の上にシリコンシーラント２を添付する。次に、カーボンロービング３をその上に間隔狭く並べる。再びシリコンシーラントを添付し、更に、同様の耐熱ナイロンをその上に貼り合わせる。電極４を付け、電源コード５を付ける。以上の構成からなる発熱体であり、これによりカーボンから発せられた熱がシリコンを通過する際に分散化され、表面温度が均一化される。【選択図】図１
0003104337.tif 000002
【実用新案登録請求の範囲】
【請求項１】
タイヤウォーマーにおけるシリコン、カーボンロービングを使用した柔軟面状発熱体。
【考案の詳細な説明】
【考案の詳細な説明】
【技術分野】
【０００１】この考案はカーボンとシリコンを使用したタイヤウォーマーの柔軟面状発熱体に関するものである。
【背景技術】
【００００２】従来の発熱体は主にニクロム線を使用したものであるが、タイヤ表面に温度が均等に分散することができず、タイヤ本来の性能発揮させることが困難であった。生地そのものが発熱する発熱繊維を採用しているメーカーも存在するが、これは価格が非常に高く、一般ユーザーにはなかなか手の出にくいものであった。
【考案が解決しようとする課題】
【０００３】本案はカーボンの発熱特性とシリコンの熱伝導性、柔軟性を利用し、従来の欠点を除いてより低価格で性能の良いものを開発することによって、タイヤ性能を効率良く発揮させ、一般ユーザーが安全に競技することができるようにするものである。
【課題を解決するための手段】
【０００４】その解決手段を図面に追いながら説明すると、
（イ）耐熱ナイロン布▲１▼の上にシリコンシーラント▲２▼を添付する。
（ロ）カーボンロービング▲３▼をその上に間隔狭く並べる。
（ハ）再び▲２▼のシリコンシーラントを添付する。
（ニ）▲１▼と同様の耐熱ナイロンをその上に貼り合わせる。
（ホ）電極▲４▼を付け、電源コード▲５▼を付ける。
以上の構成からなる発熱体である。
【考案を実施するための最良の形態】
【０００５】本案は以上の構造から電源コードから電源を取り入れる仕組みとなる。これによりカーボンから発せられた熱がシリコンを通過する際に分散化され、表面温度が均一化される。
【考案の効果】
【０００６】したがってタイヤ表面温度を均等に保つことが可能となり、タイヤ性能を効率よく発揮させることが可能となる。
【図面の簡単な説明】
【図１】本考案発熱体断層図
【図２】本考案断面図及び熱伝導図
【符号の説明】
１は耐熱ナイロン
２は耐熱シリコンシーラント
３はカーボンロービング
４は電極
５は電源コード
【図１】
0003104337.tif 000003
【図２】
0003104337.tif 000004
【手続補正書】
【提出日】平成15年11月27日(2003.11.27)
【手続補正１】
【補正対象書類名】実用新案登録請求の範囲
【補正対象項目名】全文
【補正方法】変更
【補正の内容】
【実用新案登録請求の範囲】
【請求項１】
タイヤウォーマー内部における耐熱シリコンとカーボンロービングを使用した柔軟面状発熱体の採用。電気を加えると発熱するカーボンの特性を生かし、発熱体には柔軟かつ安値であるカーボンロービングを使用し、これらを並べて末端部分はそれらをまとめて電極や配線を装着する。温度調節や温度の立ち上がりスピードはカーボンロービングの本数、太さによって任意に設定でき、さらにサーモスタットなどによっても調節できるものとする。これらカーボンロービングを身体に無害であり、柔軟、かつ熱伝導性の高いシリコンを用いてカーボンロービングを挟み込む形とする。こうすることによってカーボンロービングから発せられた熱はシリコンを通過する際に熱の分散化され、表面温度が均一となる。さらにこれらを耐熱性、難燃性の繊維を用いて包み込み強度を持たせるものとする面状発熱体である。
【手続補正書】
【提出日】平成16年4月14日(2004.4.14)
【手続補正１】
【補正対象書類名】実用新案登録請求の範囲
【補正対象項目名】全文
【補正方法】変更
【補正の内容】
【実用新案登録請求の範囲】
【請求項１】
競技用タイヤウォーマーに関して
▲１▼  カーボンロービングを主発熱体とする
▲２▼  ▲１▼をシリコンコーティングし熱分散化させる
▲３▼  上記を耐熱難燃生地を用いて包み込む
以上から構成される面状発熱体を使用するタイヤウォーマー
(57)【要約】      （修正有）【課題】視覚面および聴覚面の双方にて楽しむことのできるオルゴール付きのプラズマボール装置を提供する。【解決手段】合成樹脂製の着色透明ケース１の上下は開口され、上方に向けて次第に小径となる段部を外周に有している。ケース上部にはゴム製の略円筒形状のソケット２が嵌入され、このソケット内に、下部を略円筒形状に形成した透明ガラス球体のプラズマボール３が嵌入保持される。このプラズマボール内には低圧の気体が封入され、中央には電極４が位置している。基板６には高電圧発生回路を含む制御素子７、振動感知センサー８、スイッチ９、その他必要回路が設けられる。小環状のネオンランプ１０は、ケース上部内面に取り付けられる。取り付け板１１にシリンダー型の小型オルゴール１２が取り付けられる。レバー１３は、小棒体であってその一端は基板適所に穿設される孔を通ってオルゴールに接続され、他端はケースに穿設された孔を通って外部に露出している。【選択図】図４
0003104336.tif 000002
【実用新案登録請求の範囲】
【請求項１】
プラズマボール装置内部にオルゴールを組み込んだことを特徴とするオルゴール付きプラズマボール装置。
【考案の詳細な説明】
【技術分野】
【０００１】  この考案は、プラズマボール装置にオルゴールを組み込んだオルゴール付きのプラズマボール装置に関する。
【背景技術】
【０００２】  従来より、放電発光による視覚的効果を利用したプラズマボール装置が市販されているが、このプラズマボール装置にオルゴールを付加させたものは現在のところ見当たらない。
【考案の開示】
【考案が解決しようとする課題】
【０００３】  従来よりプラズマボール装置が出回っている。これはガラス球の中に、ネオン、アルゴン、キセノンの混合ガスを低圧にて封入し、ガラス球の中央にある電極に高周波の高い電圧をかけて、封入ガスの気体を電離してプラズマを作り出すものである。気体は通常状態では電気的に絶縁体であるが、プラズマ状態では導体となってよく電気を通すこととなり、この現象を利用した商品がプラズマボール装置である。通電すると電極からガラス球内面に向けて不定形線状の光が発生し、この光が動く様子を観察できて興味深いものである。
一方、古くよりオルゴールが利用され、楽しまれている。
このオルゴールの中で一般的なものはシリンダー型オルゴールである。
これは、ゼンマイ等の駆動にて回転するシリンダー表面に多数のピンを突設し、このシリンダーに近接して多数の小細長金属板を設け、シリンダーの回転にてピンがこの金属板を弾くことにより発音するもので、そのやさしい音色が好まれている。
本案は、以上のプラズマボール装置とオルゴールを一体化したもので、発光による視覚的効果とオルゴールによる聴覚的効果の双方を一個の物品にて得られることを目的とした新規な物品を提供するものである。
【課題を解決するための手段】
【０００４】  課題を解決する手段として本発明は、プラズマボール装置とオルゴールを組み合わせ一体化してその主要部を構成した。
すなわち、プラズマボール装置内部にオルゴールを組み込む。本案は以上の構成よりなるオルゴール付きプラズマボール装置である。
【考案の効果】
【０００５】  本案によれば、プラズマボール装置の発光機能に加えてオルゴールによる発音機能を有しているので、視覚的な効果のみであった従来のプラズマボール装置とは異なり、視覚と聴覚の双方にて楽しむことのできる新規かつ有用なる装置を提供することができる。なお、振動感知センサーを組み込み、外部からの振動や音圧を感知したときのみ、プラズマボール装置等の発光を行うよう構成することで、より興味深い装置とすることができる。
【考案を実施するための最良の形態】
【０００６】  以下、本案の実施形態について説明する。
図において、１は合成樹脂製の着色透明ケースで、その上下は開口され、上方に向けて次第に小径となる段部を外周に有している。ケース上部にはゴム製の略円筒形状のソケット２が嵌入され、このソケット内に、下部を略円筒形状に形成した透明ガラス球体のプラズマボール３が嵌入保持される。このプラズマボール内には低圧の気体（ネオン、アルゴン、キセノンの混合ガス）が封入され、中央には電極４が位置している。５は底板で、ケース下部にビス止めされる。（ビス止め個所図示略）この底板上面には適宜支持部材にて基板６が取り付けられ、基板上には高電圧発生回路を含む制御素子７、振動感知センサー８、スイッチ９、その他必要回路が設けられる。１０は小環状のネオンランプで、ケース上部内面に取り付けられる。
１１は取り付け板で、ケースの外周近傍内面に固着される小板体で、この取り付け板にシリンダー型の小型オルゴール１２が取り付けられる。１３はレバーで、小棒体であってその一端は基板適所に穿設される孔を通ってオルゴールに接続され、他端はケースに穿設された孔を通って外部に露出している。なお、スイッチの操作ノブはケースに設けた角形の切り欠き部より外へ突出し、このスイッチは三段階の切り換え操作ができる。
なお、各部品は適宜に配線接続される。（図示略）
また、図示を略したが、ケース内適所に電源接続のためのコネクターが設けられ、そのコネクターに対応するサイズの孔がケースに設けられ、ＡＣ１００ボルトに電圧変換回路を含むアダプターを介して接続コードにて接続される。【０００７】  本発明を使用するには、アダプターを介して通電し、スイッチ操作を行う。
このスイッチは、スイッチを正面に見て左端、中央、右端の三段階の位置設定が可能である。左端位置ではプラズマボールおよびネオンランプに通電されず、オルゴールのみ使用可能であり、レバーを巻き上げて手を離すとオルゴールが発音する。
中央の位置では、プラズマボールとネオンランプの双方が常時点灯状態となり、ディスプレイとして楽しむことができ、オルゴールも発音させて視覚と聴覚の双方にて楽しむことができる。右端の位置では、振動感知センサーの作動時のみプラズマボールとネオンランプが発光する。よって本装置を乗せている台などをたたいたり、ケースをたたいたりすると発光し、無振動のときは発光しない。
この振動感知センサーは感度が高く、本装置に顔を近づけて声を出したり、あるいはオルゴールを発音させてもその音圧による振動を感知して、上記のような点灯状態となる。
なお、この点灯は振動発生時のみ瞬間的に行われる。
以上のごとく、本発明にて視覚と聴覚の双方で楽しめるオルゴール付きのプラズマボール装置を得ることができる。
【図面の簡単な説明】
【０００８】
【図１】  本考案の平面図
【図２】  本考案の正面図
【図３】  本考案の底板および基板の平面図
【図４】  本考案の内部構造説明図（一部略）
【図５】  本考案の使用状態図
【符号の説明】
【０００９】１    ケース
２    ソケット
３    プラズマボール
４    電極
５    底板
６    基板
７    制御素子
８    振動感知センサー
９    スイッチ
１０  ネオンランプ
１１  取り付け板
１２  オルゴール
１３  レバー
１４  ビス穴
【図１】
0003104336.tif 000003
【図２】
0003104336.tif 000004
【図３】
0003104336.tif 000005
【図４】
0003104336.tif 000006
【図５】
0003104336.tif 000007
(57)【要約】      （修正有）【課題】飲食店等のメニュー・ブックへのマンネリ化したイメージを払拭する効果を狙い、新しい期待感を与えること。【解決手段】メニュー・ブックの大きさ、素材、色彩には関係なく、中央部分が左右に開くドアのように、「見開き」が可能な状態となっている。この「見開き窓の部分」を手で開くと、中の台紙に主要なメニューが書き込んである。【選択図】図２
0003104339.tif 000002
【実用新案登録請求の範囲】
【請求項１】
本案はホテル、レストラン、ファースト・フード、飲食店等で営業用に使用するメニュー・ブックを対象とする。
【請求項２】
メニュー・ブックの大きさ、素材、色彩には関係なく、中央部分が左右に開くドアのように、「見開き」が可能な状態となっている。
【請求項３】
この「見開き窓の部分」を手で開くと、中の台紙に主要なメニューが書き込んでである。
【考案の詳細な説明】
【技術分野】
【０００１】台紙の切り込み技術
【背景技術】
【０００２】雑誌の付録
【考案の開示】
【０００３】自社の直営及びフランチャイズの各営業店舗において実際にメニュー・ブックとして使用することによる開示。
【考案が解決しようとする課題】
【０００４】飲食店等のメニュー・ブックへのマンネリ化したイメージを払拭する効果を狙う。
【課題を解決するための手段】
【０００５】お客自身が手を使用して見開き窓を開く。
【考案の効果】
【０００６】見開き窓を開く動作をさせることにより、新しい期待感を与える。
【図面の簡単な説明】
【０００７】
【図１】お客が使用しない場合
【図２】お客が使用する場合
【図１】
0003104339.tif 000003
【図２】
0003104339.tif 000004
【手続補正書】
【提出日】平成16年1月20日(2004.1.20)
【手続補正１】
【補正対象書類名】実用新案登録請求の範囲
【補正対象項目名】全文
【補正方法】変更
【補正の内容】
【実用新案登録請求の範囲】
【請求項１】
「見開き窓」のあるメニュー・ブック。
【請求項２】
メニュー用紙の中央部分に「工」形の切り込みを入れ、指で開くと「見開き窓」のように左右に開くように考案されたもの。
【手続補正２】
【補正対象書類名】明細書
【補正対象項目名】全文
【補正方法】変更
【補正の内容】
【考案の詳細な説明】
【技術分野】
【０００１】特定紙葉に「工」形の切り込みを入れる技術。
主要メニュー記載の台紙と合体する技術。
【背景技術】
【０００２】雑誌の付録をイメージ。
【考案の開示】
【０００３】自社グループ内の直営及びフランチャイズ各営業店舗において実際にメニュー・ブックとして使用することにより開示。
【考案が解決しようとする課題】
【０００４】現行メニュー・ブックのマンネリ化を払拭する効果を狙う。
【課題を解決するための手段】
【０００５】お客自身が手を使い「見開き窓」を開く。
【考案の効果】
【０００６】「見開き窓」を開く動作をさせることにより、新しい感覚、斬新さ、創作料理への期待感を与える。
【手続補正３】
【補正対象書類名】図面
【補正対象項目名】全図
【補正方法】変更
【補正の内容】
【図１】
0003104339.tif 000005
【図２】
0003104339.tif 000006
【手続補正書】
【提出日】平成16年4月22日(2004.4.22)
【手続補正１】
【補正対象書類名】実用新案登録請求の範囲
【補正対象項目名】請求項２
【補正方法】変更
【補正の内容】
【請求項２】
メニュー用紙の中央部分に「工」形の切り込みを入れ、指で開くと「見開き窓」のように左右に開くように考案されたメニュー・ブック。
【手続補正２】
【補正対象書類名】明細書
【補正対象項目名】全文
【補正方法】変更
【補正の内容】
【考案の詳細な説明】
【技術分野】
【０００１】特定紙葉に「工」形の切り込みを入れる技術。
主要メニュー記載の台紙と表紙とを合体する技術。
【背景技術】
【０００２】雑誌等の「見開き窓」のある付録をイメージ。
【考案の開示】
【考案が解決しようとする課題】
【０００３】現行メニュー・ブックのマンネリ化を払拭する効果を狙う。
【課題を解決するための手段】
【０００４】お客自身が手を使い「見開き窓」を開くメニュー・ブックの作成。
【考案の効果】
【０００５】お客様に「見開き窓」のあるメニュー・ブックを開く動作をさせることにより、新しい感覚、斬新さ、創作料理への期待感を与える。
【実施例】
【０００６】本件のような「見開き窓」のあるメニュー・ブックは街の飲食店では見かけず、特許庁の実用新案登録事例でも見当たらない。
【産業上の利用可能性】
【０００７】殆どないと思われる。
【図面の簡単な説明】
【０００８】
【図１】特定紙葉の「見開き窓」のあるメニュー・ブックをテーブルに置いた状況（閉じた状態）
【図２】お客様が当該メニュー・ブックを使用する状況（開いた状態）
(57)【要約】      （修正有）【課題】愛着性を付加し、携帯意欲をわかせ、かつ、装飾価値を向上させることができる,ぬいぐるみ型防犯ブザーカバーを提供する。【解決手段】一般的に多く見かける形式の防犯ブザーに対応できるような、防犯ブザーが入れられる大きさのカバーであり、基本的には、ブザー音の低下を押さえるために遮音性の低い材料もしくは方法で作られたぬいぐるみ状のカバーで、防犯ブザーのストラップ部分とスイッチ部が通せる穴、および開閉可能な防犯ブザー挿入口を構成して、防犯ブザーをそのまま入れて防犯ブザーの機能もそのまま使えるようにする。【選択図】図２
0003104330.tif 000002
【実用新案登録請求の範囲】
【請求項１】
防犯ブザーの機能を損なわずに使うことのできる、ぬいぐるみのような作りの、防犯ブザーのカバーである。
【考案の詳細な説明】
【考案の詳細な説明】
【考案が解決しようとする課題】
【０００１】従来の携帯型防犯ブザーには携帯意欲や装飾価値を変える、ぬいぐるみのような作りのカバーが存在しなかった、
ぬいぐるみ形にすることにより、愛着性を付加し、携帯意欲をわかせ、かつ、装飾価値を向上させることができる。
防犯ブザーに、ぬいぐるみ型のカバーをすることにより、装飾性や携帯性、愛着性を持たせ、価値を付加することができる、またそのことにより、自然に防犯ブザーとしての機能を発揮できるような位置に携帯する意欲をわかせることができる。
【課題を解決するための手段】
【０００２】ぬいぐるみ形にすることにより、愛着性を付加し、携帯意欲をわかせ、かつ、装飾価値を向上させることができる。
防犯ブザーに、ぬいぐるみ型のカバーをすることにより、装飾性や携帯性、愛着性を持たせ、価値を付加することができる、またそのことにより、自然に防犯ブザーとしての機能を発揮できるような位置に携帯する意欲をわかせることができる。
構造は、汎用的に使用できるよう、一般的に多く見かける形式の防犯ブザー（図１）に対応できるような、防犯ブザーが入れられる大きさのカバーであり、基本的には、ブザー音の低下を押さえるために遮音性の低い材料もしくは方法で作られた（図９  ａ，ｂ，ｃ）ぬいぐるみ状のカバー（図２、図３、図４）で、防犯ブザーのストラップ部分（図１のａ）とスイッチ部（図１のｃ、ｄ）が通せる穴（図２のａ−１、図２のａ−２）および開閉可能な防犯ブザー挿入口（図２のｃ−１）を構成して、防犯ブザーをそのまま入れて防犯ブザーの機能もそのまま使えるように作られたものである、もしくは、その構造を応用したものである（図５、６、７、８、）。
【考案の効果】
【０００３】すでにある防犯ブザーに、ぬいぐるみ型のカバーをすることにより、装飾性や携帯性、愛着性を持たせ、アクセサリーとしての機能を持たせることができる、またそのことにより自然と防犯ブザーとしての機能を発揮できるような位置に携帯する意欲をわかせることになる。
装飾品として、また自然に、防犯ブザーとして機能する位置に携帯させる効果が得られる。
（防犯ブザーはすぐにブザースイッチを入れることができる位置に携帯して使用することが前提である物です、ところが装飾性で携帯意欲が沸かないものがある、これが原因で、鞄やポケットの奥にしまいこみがちで、実用的に使用できていない事例を多く見かける物です、器具自体は充分な性能があっても、これではまったく意味のないことになってしまいます。）
このような問題を解決しようとするためのものである
【図面の簡単な説明】
【０００４】
【図１】本考案が対象とする携帯型防犯ブザーの外部構造の概要
【図２】考案の概略イメージ図１（全身タイプ  概観イメージ  透視イメージ  構造イメージ）
【図３】考案の概略イメージ図２（全身タイプ  概観イメージ  透視イメージ）
【図４】考案の概略イメージ図３（全身タイプ  概観イメージ  透視イメージ）
【図５】防犯ブザー挿入イメージ  挿入口と穴形状作り方のイメージ  ａ  全身形  裏面イメージ  ｂ  全身形  裏面イメージ  挿入時  ｃ  パペット形１  ｄ  パペット形２  ｅ  顔型正面  ｆ  顔型裏面  穴貫通式  挿入時  ｇ  顔型裏面  穴貫通式  閉じたとき
【図６】防犯ブザー挿入口（とめ部の構造）  ａ  カバー裏面から  ｂ  挿入口  ｃ  切りこみ式  ｄ  あわせ式  ｅ  ファスナー式  ｆ  マジックテープ式  ｇ  ボタン式
【図７】ストラップ部分の構造１（そのまま利用タイプ）
【図８】ストラップ部分の構造１（そのまま利用しないタイプ）
【図９】ブザー音に対しての構造
【図１】
0003104330.tif 000003
【図２】
0003104330.tif 000004
【図３】
0003104330.tif 000005
【図４】
0003104330.tif 000006
【図５】
0003104330.tif 000007
【図６】
0003104330.tif 000008
【図７】
0003104330.tif 000009
【図８】
0003104330.tif 000010
【図９】
0003104330.tif 000011
(57)【要約】      （修正有）【課題】バイオマスのメタン発酵には、発酵槽内部の撹拌、発酵槽温度維持、菌体保持、硫化水素による腐食劣化の防止が重要になる。従来行われていたプロペラ式または噴射式の撹拌では、粘性の高いバイオマスの確実な撹拌は困難であり、撹拌が不十分な場合には発酵が滞ることもある。また、発酵槽からの菌体の流出、温度の低下により、発酵が停滞する場合がある。さらに、発酵により生成するバイオガスには腐食性の硫化水素が含まれているため、発酵槽には硫化水素に対する対策が必要になる。【解決手段】従来のプロペラ式撹拌装置や、ポンプ式撹拌装置では確実な撹拌が困難であったバイオマスを撹拌するために、パドル型の撹拌装置を発酵槽３内部に設置する。撹拌装置には長さの異なるパドル１を複数設置し、均一な撹拌ができるような装置とする。また、発酵槽３の材質を木にすることによって、木材表面の微小な間隙や突起が微生物濾床となり菌体の保持が可能となる、熱伝導率の低い木材の効果によって発酵槽内部の温度維持ができるようになる。さらに、木材は硫化水素の腐食作用に耐性があるため腐食劣化を防止することができる。【選択図】図１
0003104364.tif 000002
【実用新案登録請求の範囲】
【請求項１】
バイオマスのメタン発酵を行う発酵槽において、発酵槽内部に長さの異なる回転パドルを複数設置することによって、ムラのない均一な撹拌を行うことが特徴である装置。
【請求項２】
発酵槽を木で作成することによって、発酵槽の壁面へ菌体を付着させることにより菌体の流出を減少させ、さらに硫化水素による腐食の防止、発酵槽の温度維持効果をもたせることが特徴である発酵槽。
【考案の詳細な説明】
【技術分野】
【０００１】
本考案は、バイオマスのメタン発酵槽に関するものである。
【背景技術】
【０００２】
バイオマスのメタン発酵に際しては被発酵物の確実な撹拌、発酵微生物の菌体保持、発酵温度の維持が必要である。また、生成するバイオガスには微量の硫化水素が含まれており、この硫化水素の腐食作用によって金属製の部品が劣化するが、この劣化を避ける必要がある。
【考案の開示】
【考案が解決しようとする課題】
【０００３】
メタン発酵に供されるバイオマスは固形物を含んでおり、また高い粘性を示す場合が多い。従来、このような被発酵物を確実に撹拌することは困難であった。
【０００４】
メタン発酵の際に発酵槽内部の撹拌が確実に行われなければ、バイオマスに含まれる固形分が浮遊し、被発酵物上部に蓄積および固化し浮遊物層を形成する。この浮遊物層形成によって発酵槽内部の均一な撹拌はさらに困難となり、さらに強固な浮遊物層が形成するという悪循環に陥る危険性が高い。
【０００５】
従来の撹拌方式のメタン発酵槽では、固形物を含み粘性が高いバイオマスの撹拌が困難であったので、メタン発酵の前処理として加水または固液分離を行い、相対的な固形物濃度や粘性を減少させてからメタン発酵に供している場合が多い。しかしながらバイオマスの加水をした場合には被処理バイオマスの量が増加するため、発酵槽の大きさが大きくなるという欠点があった。また、固液分離を行う方法では、固液分離に要する手間や、分離した固形分の処理を別に行わないといけないなど、問題が多かった。
【０００６】
連続式の発酵槽の場合は、消化液の放出と同時に発酵微生物の菌体流出が避けられない。
【０００７】
バイオマスのメタン発酵では発酵槽の温度を一定に保つことが必要となり、発酵槽壁面からの放熱を防止することが必要となる。
【０００８】
メタン発酵によって生成するバイオガス中に含まれている硫化水素は金属に対する腐食作用があり、発酵槽内部に金属製の部品がある場合にはこの部品の劣化が避けられない。
【課題を解決するための手段】
【０００９】
メタン発酵の発酵槽内部に、長さの異なる複数の回転パドルからなる撹拌装置を設置し、被発酵バイオマスを確実に撹拌する。
【００１０】
発酵槽の材質を木にすることによって、発酵微生物菌体を発酵槽壁面に付着させて菌体を保持する。
【００１１】
木材を使用することによって、バイオガス中に含まれる硫化水素による腐食劣化を防止する。
【００１２】
発酵槽の壁面を木製にすることによって、発酵槽壁面からの放熱を防止する。
【考案の効果】
【００１３】
従来のプロペラ型やポンプ式の撹拌方式では撹拌が困難であった、固形物を多く含み粘性の高い被発酵バイオマスを本方式によって撹拌することにより、バイオマスのメタン発酵に要する前処理を簡略化または省略することが可能となり、メタン発酵を確実に進行させることができる。
【００１４】
発酵槽の材質を木にすることによって、木材の表面にある微小な間隙や突起が発酵微生物の菌体濾床になり、効率的な菌体保持ができる。
【００１５】
硫化水素の影響を受けない木材を発酵槽に使用することによって発酵槽の劣化を防止する。
【００１６】
熱伝導率の低い木材を使用することによって、発酵槽から外部への放熱を防ぐことができる。
【実施例】
【００１７】
一例として、円筒形の発酵槽側面から中心部に向けて、撹拌用のパドルを設置する。このパドルが回転することによって、ムラのない均一な撹拌を行う。
【００１８】
発酵槽の材質を木製とすることによって、硫化水素による腐食を防止する。
【００１９】
発酵槽の材質を木製として、木材表面の微小な凹凸に微生物菌体を保持することが可能となる。
【００２０】
熱伝導率の低い木材を発酵槽に材質に利用することにより、熱の損失を抑えることができる。
【図面の簡単な説明】
【００２１】
【図１】メタン発酵の発酵槽内部の平面図である。
【符号の説明】
【００２２】
１    パドル型撹拌機
２    撹拌機動力部
３    木製発酵槽
【図１】
0003104364.tif 000003
【手続補正書】
【提出日】平成16年5月13日(2004.5.13)
【手続補正１】
【補正対象書類名】実用新案登録請求の範囲
【補正対象項目名】請求項２
【補正方法】変更
【補正の内容】
【請求項２】
少なくとも内壁面を全面にわたって木材で構成する請求項１に記載の発酵槽。
【手続補正２】
【補正対象書類名】明細書
【補正対象項目名】００１０
【補正方法】変更
【補正の内容】
【００１０】
発酵槽内壁面の材質を木にすることによって、発酵微生物菌体を発酵槽壁面に付着させて菌体を保持する。
(57)【要約】【課題】  乾燥麺を一般家庭で使用する小型の調理鍋（直径約１８ｃｍ）でも茹であげることができるようにし、加熱エネルギー量及び加熱時間の減少を目的とした。【解決手段】  麺を乾燥させる際に直線状ではなく、一部欠損円状に乾燥させた。【選択図】  図１
0003104365.tif 000002
【実用新案登録請求の範囲】
【請求項１】
麺１本１本の形状を一部欠損円状にした乾燥麺。
【考案の詳細な説明】
【技術分野】
【０００１】  本考案は、乾燥麺に関するものである。
【背景技術】
【０００２】  従来、スパゲティーなどの乾燥麺は直線状であった。
【考案の開示】
【考案が解決しようとする課題】
【０００３】  従来、スパゲティーなどの長さ２５ｃｍ前後の直線状乾燥麺を茹であげる際には、直径２２ｃｍ以上の調理鍋を使用しなければ、直線状乾燥麺を完全に湯に浸すことは困難であった。又、直径２２ｃｍ以上の調理鍋を使用し、乾燥麺を茹であげるためには、事前に沸騰させる湯の量も大量に必要となり、それに比例して、加熱エネルギー量及び加熱時間も相当数必要であった。
【課題が解決するための手段】
【０００４】  上記課題を解決するために、乾燥麺の形状を一部欠損円状とした。
【考案の効果】
【０００５】  乾燥麺を一部欠損円状にすることにより、乾燥麺の最長部分が一部欠損円の直径となり、例えば、約２５ｃｍの直線状乾燥麺に相当する一部欠損円状の乾燥麺の直径は、約８ｃｍとなる。これに伴い、通常使用される小型の調理鍋（直径約１８ｃｍ）でも、乾燥麺は、調理鍋の底面に接することができ、少量の湯でも完全に浸すことができる。又、小型の調理鍋を使用することにより、調理鍋の底面積が小さくなり、これによって、事前に沸騰させる湯の量も減少させることができ、それに比例して、加熱エネルギー量及び加熱時間も減少させることができる。
【考案を実施するための最良の形態】
【０００６】  本考案は、少量の湯で乾燥麺を完全に浸すことを目的とし、その目的に伴い、加熱エネルギー量及び加熱時間も減少させることができる。そのために、麺の形状を一部欠損円状としたうえで乾燥させた。
【図面の簡単な説明】
【０００７】
【図１】  一部欠損円状乾燥麺の斜視図である。
【図２】  一部欠損円状乾燥麺の平面図である。
【符号の説明】
１  一部欠損円状乾燥麺
【図１】
0003104365.tif 000003
【図２】
0003104365.tif 000004
(57)【要約】【課題】本考案は、車輌からの有害な排気ガスを低コストかつ簡単・迅速に押さえ、地球の全ての存在を守ることが出来る。【解決手段】車輌の排気口１に、フィルタ−２を付け、止め具３で固定し、安易に容易に、排気ガスを抑制する。【選択図】図１
0003104363.tif 000002
【実用新案登録請求の範囲】
【請求項１】
車輌の排気口に、台所の換気扇フィルタ−と同じような素材のフィルタ−を、排気口の形をカバ−する形状に用意し、その押さえとなる金属性の止め具。
【考案の詳細な説明】
【考案の詳細な説明】
【技術分野】
【０００１】本考案は、フィルタ−と止め具による車輌からの排気ガス抑制エコ装置及び製造方法に関する。
【背景技術】
【０００２】  車輌の内部を改良し、超低排出ガス車輌を製造しているが、既存の車輌については、何も対策がない。
【考案が解決しようとする課題】
【０００３】  全車輌から排出される有害ガスにおける大気汚染直害をやわらげ、自然・人間・物質等、すべての被害を軽減する。
【課題を解決するための手段】
【０００４】  フィルタ−とその止め具を車輌の排気口に装着することにより、排気ガスをフィルタ−でキャッチし、よりよい空気を守ることが出来る。
汚れ状況により、フィルタ−を新品と交換することで排気ガスの直害を抑制可能。全車輌の排気口の形状にあった止め具を用意することで、取り付け容易、車輌内技術開発より簡易で迅速な対応・効果が得られ、地球温暖化防止、また、人間の健康に良い結果をもたらす。
【考案を実施するための最良の形態】
【０００５】  本発明は、車輌の排気口に、フィルタ−をつけ、止め具で固定し、使用度により、フィルタ−を随時交換し、金属の止め具は何度も使用するものである。使用済みフィルタ−は、各行政の定めるごみ処理の区分により、処理。
フィルタ−交換時は、排気口や止め具の温度が高い場合や、汚れを考慮すると、軍手等の使用が望ましい。フィルタ−は、換気扇フィルタ−をフィットするよう切って用意しても良いし、各車輌に合わせて形状を用意、作成しても良い。
【実施例】
【０００６】  本考案は、常時車輌の排気口に装着され、汚れ状況により、フィルタ−の交換を、随時、車輌を十分安全な場所で停止したときに行なうものである。
【考案の効果】
車輌の排気口にフィルタ−及び止め具を取り付けることにより、低排出車輌を簡単・迅速に作ることが出来る。
そして、この効果は、世界中で恩恵をうけることができ、人類に大きく貢献する。物質の早期汚染防止、人間・動植物の健康及び、現在の地球の最大の課題と言っても良い地球温暖化防止対策になる。
【図面の簡単な説明】
【図１】排気口にフィルタ−と止め具の装着を示す図である。
【図２】別の形状の排気口に装着した場合の図である。
【図３】また別の形状の排気口に装着した場合の図である。
【図４】図１の形状の場合のフィルタ−と止め具のみの図である。
【符号の説明】
１車輌の排気口
２フィルタ−
３止め具
【図１】
0003104363.tif 000003
【図２】
0003104363.tif 000004
【図３】
0003104363.tif 000005
【図４】
0003104363.tif 000006
(57)【要約】【課題】蓄熱性の高い金属の特性をテープに付加し、より暖かく柔軟性のあるテープを提供する事を目的とする。【解決手段】金属をスパッタリング法で密着させた金属層と支持体層、そして粘着層、更に剥離紙からなる。このように構成することにより、金属の薄膜が繊維に密着し、赤外線吸収機能で、体内から発散される熱線を吸収するので高い蓄熱効果を持つ。このため薄手のテープでも保温効果を上げることができる。またスパッタリング法で金属を密着させることにより、密着強度が高く、かつ繊維の柔軟性を変えないため、肌にやさしくさらに加工しやすいという特徴がある。【選択図】図１
0003104388.tif 000002
【実用新案登録請求の範囲】
【請求項１】
伸縮性を有した布帛である支持体と、該支持体の片面もしくは両面に、金属層を形成すると共に、該金属層の表面に粘着層を設け、且つ該粘着層全体に剥離紙を貼着したことを特徴とするロール状またはシート状のテープ。
【請求項２】
前記支持体はポリエステル、ナイロン、アクリル、ポリエチレン、ポリプロピレン、ポリウレタンなどの合成繊維、あるいはその混紡で形成されている織物、編物、不織布であって、請求項１のロール状またはシート状のテープ。
【請求項３】
前記金属層は、チタン、銀、銅、ステンレス、ニッケルまたはこれらの金属の合金で、スパッタリング法により形成されたことを特徴とする請求項１のロール状またはシート状のテープ。
【考案の詳細な説明】
【考案の詳細な説明】
【技術分野】
【０００１】本考案は肌に貼付用のテープなどとして用いられる。金属または合金をテープの片面あるいは、両面にスパッタリングしたテープに関するものである。
【背景技術】
【０００２】従来、皮膚に発熱体などを接触させて暖め、皮膚下の血行を良くし、肩こりや、筋肉疲労を緩和するもの等が種々提供されている。
【考案が解決しようとする課題】
【０００３】しかしながら、温湿布などによる患部の温めは、低温火傷などへの懸念や、また装着のために、活動や体の動きに制限があり、不自由さを免れなかった。本考案はこのような事情を考慮してなされたものであり、しかも簡便に用いることが可能なテープを提供することを目的とする。
【課題を解決するための手段】
【０００４】かかる目的を達成すべく、本考案のテープは、支持体にチタン、銀、銅、ステンレス、ニッケルまたはこれらの金属の合金を、スパッタリング法で密着させた金属層と支持体層、そして粘着層、更に剥離紙からなる。
このように構成することにより、チタン、銀、銅、ステンレス、ニッケルまたは、これらの金属の合金の極薄膜が繊維に密着し、赤外線吸収機能で体内から発散される熱線を吸収するので、高い蓄熱効果を持つ。このためテープの生地で、十分保温効果を上げることができるため、薄くても保温性があり、暖かさを保つテープを提供することができる。
またスパッタリング法でチタン、銀、銅、ステンレス、ニッケルまたはこれらの金属の合金を密着させることにより、密着強度が高く、且つ繊維の柔軟性を変えない為、加工し易いという特徴がある。更に銀や銅などの抗菌性金属をつけることにより顕著な抗菌性が実現できる。
【０００５】また請求項２記載の考案として、テープはポリエステル、ナイロン、アクリル、ポリエチレン、ポリプロピレン、ポリウレタンなどの合成繊維。あるいはその混紡であり織物、編物、不織布であることを特徴とする。このように構成することにより、スパッタリング法でチタン、銀、銅、ステンレス、ニッケルまたはこれらの金属の合金を密着させるのに適した構成となる。
【０００６】また請求項３記載の考案は、チタン、銀、銅、ステンレス、ニッケルまたはこれらの金属の合金は蓄熱性が高いことを特徴とする。
このように構成することにより、赤外線吸収機能に優れ、体内から発散される熱を吸収して、高い蓄熱効果を発揮するため暖かい。また合成繊維と天然繊維を混紡する場合は、天然繊維の比率は重量比で５％までが好ましい。
【実施例】
【０００７】以下，本発明の実施の形態について説明する。図１はチタン、銀、銅、ステンレス、ニッケルまたはこれらの金属の合金をテープの片面にスパッタリング法で密着させて金属層を形成し、支持体層、粘着層、更に剥離紙との構成としている。本考案はこのような構造で、これを使用してテープを腕部Ａに装着する場合、その患部を覆うことのできる大きさ及び形状に切断して装着したり、テープを腕部に巻き回して装着する。このように使用することによって、体温が速やかに金属面に伝わり蓄熱されて、患部を保温して血流を促し、肩こりや筋肉疲労を和らげる。【０００８】テープの基布に金属をスパッタリング法で加工を施すには、基布を乾燥した後、密閉可能なケーシング内に広げ、その前方に棒状の陽極およびスパッタリング加工用の金属のターゲットを設置する。上記のケーシング内を１×１０−３Ｔｏｒｒ程度に減圧した後、アルゴンガスを導入してケーシング内の圧力を５×１０−４Ｔｏｒｒ程度の低圧アルゴンガス雰囲気に調整し、しかる後上記の陽極と陰極との間に４００〜８００Ｖ、２〜１００Ａの直流電流を流すと、陰極のターゲットから金属が飛び出し、テープの表面に密着される。
【発明の効果】
【０００９】テープにチタン、銀、銅、ステンレス、ニッケルまたはこれらの金属の合金をスパッタリング法で、非常に薄い膜として強固に密着させることにより、柔らかい風合いを維持し、また人体から放出される赤外線を吸収、放射することで、より暖かいテープを提供することができる。また透湿性や通気性を変えないため蒸れにくい。チタン、銀、銅、ステンレス、ニッケルまたはこれらの金属の合金をテープに付着させても、テープ本来の柔らかさや通気性、肌触りが変わらない。また自由に任意の大きさに裁断することも容易である。
【図面の簡単な説明】
【図１】本考案の断面図である。
【図２】本考案の保温効果のあるテープを、腕部に装着した図である。
【符号の説明】
１−−−  金属層
２−−−  支持体層
３−−−  粘着層
４−−−  剥離紙
５−−−  テープ
Ａ−−−  腕部
【図１】
0003104388.tif 000003
【図２】
0003104388.tif 000004
(57)【要約】      （修正有）【課題】上衣を両面着用できるようにすることによって、コーディネートの幅をひろげたり、荷物の軽減ができるリバーシブルジャケットの提供。【解決手段】裏面を着用した時着用上無理のない機能的デザイン仕様、フロント釦、袖の表裏の長さ調節、衿吊り部分をパターン・デザイン・縫製方法によっている。【選択図】図４
0003104390.tif 000002
【実用新案登録請求の範囲】
【請求項１】
一枚ジャケットでリバーシブル（両面）着用でき、両面のデザイン変化でいろんなコーディネートが楽しめる上衣。
【考案の詳細な説明】
【技術分野】
【０００１】  本考案は、両面が着用できる上衣に関するものである。
【技術背景】
【０００２】  従来の上衣は、表面での着用のみのデザイン・仕様から作られている。
【考案の開示】
【考案が解決しようとする課題】
【０００３】  カジュアル系とドレス系とか、紺系と茶系といったように一枚の上衣では複数のコーディネートをしにくいといった問題があり、旅行などの多目的着用時、複数の上衣を持参する必要があった。そこで、一枚の上衣で２つの着こなしを楽しむことが出来る上衣を提供することを目的とする。
【課題を解決するための手段】
【０００４】  本考案は、裏面を着用した場合、通常の裏に見えないデザイン仕様、袖の表裏着用時の長さ調節、上衣の衿吊り部分、フロント釦を、パターン・デザイン・縫い方法によって課題を解決している。
【考案の効果】
【０００５】  表裏どちらの着用も可能で、同素材で表裏使用した場合は、デザインで表ドレスの裏カジュアルといった変化を出したり、表裏を異素材で楽しむこともでき、ドレスアップ的なコーディネートしたりカジュアル的なコーディネートしたりというように一枚のジャケットコーディネートの汎用性が増すだけでなく、旅行などの荷物の軽減にも役立つ、オシャレと実用の両面からの効果が得られる。
【考案の実施するための最良の形態】
【０００６】  従来の上衣は、裏仕様ではデザイン仕様上、着用が難しく、表裏をヘムで縫い合わせ、表裏のポケットデザイン・フロント釦工夫や、袖丈調整の為に袖の中にベルクロを縫いつけたり、衿吊りを貼り合わせ共通化させ更に切り込みホールをつけたりすることによって、裏着用を可能にしている。
【実施例】
【０００７】  以下、添付図面に従って一実施例を説明する。図１は一般的な上衣の裏仕様で図２はそのパターンである。この仕様の裏面着用時の問題点は、見返し部分や裏地そして内ポケットという裏仕様にある為、パターンの改善が必要になる。【０００８】  両面表地を使用出来るように、前端・裾口・袖口の上がり線で縫い付け合わせるパターンに変更し（図３）、更に両面にポケットをテイストに合わせてそれぞれデザインする（図４）。【０００９】  通常、フロントは釦とボタンホールで止めるが、裏を着用可能にするため、ドット釦を使用することによって、上前は表着用時も裏着用時も同じになり違和感もなく、かつドット釦の頭を裏と表を変えることが出来るので、ドレス・カジュアルなどの使い分けも出来る。【００１０】  両面着用のため表裏のパターンは同寸で作られているが、表地を両面に使う場合、裏に使用した素材が表の素材よりも長くなると袖口から出てくる為、本来袖の内側は外側の長さより短くする必要がある。その為表裏の袖部の間にベルクロを付けて、内外の距離を調整可能にしてある。（図５）【００１１】  更に、図６にあるように、裏着用時に衿吊りが見えてしまうのを防ぐ為に、２枚の衿吊りを縫い合わせ舟形に折り、その両端を衿腰に挟み込み、図７のように、挟み込んだ衿吊りの全幅部分の衿腰と背の部分の縫い合わせ部分を縫い付けないでホールの状態を作り、裏を着用し場合に、外に見えている衿吊りをそのホールから内側に引っ張り出し、本来の衿吊りの位置状態にすることができ、裏着用時の違和感を感じさせない。
【図面の簡単な説明】
【００１２】
【図１】  一般的な上衣の裏仕様である。
【図２】  一般的な上衣パターンである。
【図３】  リバーシブル  ジャケットのパターンである。
【図４】  リバーシブル  ジャケットの裏仕様である。
【図５】  袖部のアジャスト仕様である。
【図６】  衿吊り形状である。
【図７】  衿吊り仕様である。
【図１】
0003104390.tif 000003
【図２】
0003104390.tif 000004
【図３】
0003104390.tif 000005
【図４】
0003104390.tif 000006
【図５】
0003104390.tif 000007
【図６】
0003104390.tif 000008
【図７】
0003104390.tif 000009
(57)【要約】【課題】    本考案は美容院やネイルサロンにおいて、ハンドケアと同じテーブルやカウンターでフットケアを行なえるようにするためにお客様の足が外部から見えないようにテーブルの下を隠し、心理的な負担を解決する。【解決手段】本考案はテーブル（カウンター）本体の下部分、お客様が座り、足を入れる部分にカーテンをとりつけ、かつカーテンの真ん中に区切りをつけ、切り込みを入れることにより、カーテンが締まっていても足が伸ばせ、外部から見えることなくフットケアができるようになり、お客様の心理的な負担ならびにサロン側の負担をも解決する。【選択図】図２
0003104389.tif 000002
【実用新案登録請求の範囲】
【請求項１】
美容院やネイルサロンにおけるネイルテーブル（または、ネイルカウンター）に、お客様の足が見えないようお客様の手前位置に開閉自在のカーテンを取り付け、かつカーテンの中央部分に切れ目（スリット）をつけ、カーテンを閉めたままでもお客様が自由自在に足を出し入れでき、かつ当該テーブル（カウンター）上で、ハンドケアに加え、フットケアやペディキュアもできることを特徴とするフット用カーテン
【考案の詳細な説明】
【技術分野】
【０００１】  本考案は、美容院やネイルサロン等におけるテーブルに設けたカーテンに関するものである。
【背景技術】
【０００２】  ネイルテーブル（または、ネイルカウンター）ではフットケアやペディキュアを行なう際、お客様の足が他の人に見えてしまう為に心理的な負担が大きく、躊躇するお客様が多かった。
【考案の開示】
【考案が解決しようとする課題】
【０００３】  ネイルテーブル（または、ネイルカウンター）ではフットケアやペディキュアを行なう際、お客様の足が他の人に見えてしまう為に心理的な負担が大きく、躊躇するお客様が多かったが、限られたスペースの中で個室などのフットケア・ペディキュアを行なうスペースを別に確保することは物理的、経済的にも美容院やネイルサロン等、運営側の負担が大きかった。従って、このフットケア・ペディキュア専用カーテンを取り付けることにより、テーブルの下を外部から遮断され見えなくする事が可能になり、前述のお客様の心理的負担を解決し、併せ、ハンドケアとフットケアを同時に行う事が可能になる為、狭いスペースを有効活用でき、経営面での効率化も解決しようとするものである。
【課題を解決するための手段】
【０００４】  ネイルテーブル（または、ネイルカウンター）のお客様側にフット用カーテンを取り付けることでテーブルの下を隠し、カーテンが閉まっていても良いようカーテンの中央部分に区切りをつけることにより、見た目も良くお客様の心理的な負担も解決している。
【考案の効果】
【０００５】  お客様の足が外部から遮断され見えなくなり、座り心地が良くリラックス効果がある。美容院、ネイルサロンからはハンドケアとフットケアが同じ場所で技術提供できるため、経済的な負担が減少した。
【考案を実施するための最良の形態】
【０００６】  お客様の足が見えないようにテーブルの下、もしくは横にカーテンレールをつけ、カーテンの真ん中で足をいれられるように区切りをつけ、切り込みを入れる。
【図面の簡単な説明】
【０００７】
【図１】  本考案のネイルテーブルのフット用カーテンの一実施例を示す図である。
【図２】  本フット用カーテンの正面図である。
【図３】  本フット用カーテンの背面図である
【図４】  本フット用カーテンの断面図である。
【図１】
0003104389.tif 000003
【図２】
0003104389.tif 000004
【図３】
0003104389.tif 000005
【図４】
0003104389.tif 000006